(57)【要約】【課題】女性の一人暮らしのところへ、何度もかけてくる傾向にあるいたずら電話や電話による勧誘などを、確実に撃退することが可能な電話装置を提供することを目的とする。【解決手段】迷惑電話であった通話の発信電話番号が迷惑電話番号として登録されるメモリ部９と、応答メッセージとして音声を録音して格納するメッセージ格納部１０と、応答メッセージの音声信号を変換して女性の音声を男性の音声に変換する音声変換部１１と、公衆回線網の発信電話番号通知機能により通知される発信電話番号を取得する電話番号取得部４と、電話番号取得部４により取得した発信電話番号が迷惑電話番号であったときに、音声変換部１１により変換された応答メッセージを公衆回線網２へ送信する制御部１３とを備えた。【選択図】図１
2006094272.tif 000002
【特許請求の範囲】
【請求項１】
迷惑電話であった通話の発信電話番号が迷惑電話番号として登録される記憶手段と、
応答メッセージとして音声を録音して格納するメッセージ格納手段と、
前記応答メッセージの音声信号を変換して女性の音声を男性の音声に変換する音声変換手段と、
公衆回線網の発信電話番号通知機能により通知される発信電話番号を取得する電話番号取得手段と、
前記電話番号取得手段により取得した発信電話番号が前記迷惑電話番号であったときに、前記音声変換手段により変換された応答メッセージの音声信号を前記公衆回線網へ送信する制御手段とを備えたことを特徴とする電話装置。
【請求項２】
前記記憶手段には、発信先電話番号のリストである電子電話帳が格納され、
前記制御手段は、前記電話番号取得手段により取得した発信電話番号が前記迷惑電話番号でなく、かつ前記電子電話帳に含まれないときに、前記音声変換手段により変換された応答メッセージの音声信号を前記公衆回線網へ送信する機能を備えたことを特徴とする電話装置。
【請求項３】
前記記憶手段に格納された前記電子電話帳に、前記迷惑電話番号が含まれて格納されているとともに、前記迷惑電話番号には、前記発信先電話番号と識別する識別情報が付されていることを特徴とする請求項２記載の電話装置。
【請求項４】
前記記憶手段には、前記迷惑電話番号が蓄積されて迷惑電話番号リストとして格納されていることを特徴とする請求項２記載の電話装置。
【請求項５】
前記制御手段は、通話が前記電話番号取得手段により発信電話番号が取得できない非通知通話であったときに、前記音声変換手段により変換された応答メッセージの音声信号を前記公衆回線網へ送信する機能を備えたことを特徴とする請求項１から４のいずれかの項に記載の電話装置。
【請求項６】
前記制御手段は、迷惑電話であった通話の発信電話番号を前記電話番号取得手段により取得して、前記記憶手段に当該発信電話番号を迷惑電話番号として登録する機能を備えたことを特徴とする請求項１から５のいずれかの項に記載の電話装置。
【発明の詳細な説明】
【技術分野】
【０００１】
本発明は、発信電話番号受信機能（ナンバー・ディスプレイ、商標）と、応答メッセージを送信する機能とを有する電話装置に関する。
【背景技術】
【０００２】
いたずら電話や勧誘などの迷惑電話がかかってきた場合、受話器を取って会話をするまで、その通話が迷惑電話かどうかがわからない。女性が一人で暮らしていると、他に電話装置に出る者がいないので、かかってきた迷惑電話に応対するしかないが、応対した者が女性であると、再び迷惑電話をかける相手として、迷惑電話をかける者に覚えられてしまう。
【０００３】
このような声によるいたずらや勧誘を撃退する装置がインターフォンではあるが、（特許文献１）に記載されている。
【０００４】
この（特許文献１）に記載のインターフォンは、装置本体にボイスチェンジャスイッチを設けており、このボイスチェンジャスイッチを操作することで、マイクから入力され音声ＩＣに記憶させた音声を周波数の低い男性的な音声に変換するものである。男性的な音声に変換することで、応対した者が女性である相手に悟られることなく対応することができる。
【特許文献１】特開２００３−１０１６１２号公報
【発明の開示】
【発明が解決しようとする課題】
【０００５】
しかし、この（特許文献１）に記載のインターフォンを電話装置に適用した場合では、通話相手の声を聞いてからでないと、男性の声で応答することができない。迷惑電話は、最初に相手の声を聞いてから話し始めることが多いので、お互いに黙り込んだ状態となってしまう。一度、迷惑電話をかけた先が女性の一人暮らしであると認識すると、迷惑電話をかける者は、何度もかけてくる傾向にある。
【０００６】
そこで本発明においては、女性の一人暮らしのところへ、何度もかけてくる傾向にあるいたずら電話や電話による勧誘などを、確実に撃退することが可能な電話装置を提供することを目的とする。
【課題を解決するための手段】
【０００７】
本発明の電話装置は、迷惑電話であった通話の発信電話番号が迷惑電話番号として登録される記憶手段と、応答メッセージとして音声を録音して格納するメッセージ格納手段と、前記応答メッセージの音声信号を変換して女性の音声を男性の音声に変換する音声変換手段と、公衆回線網の発信電話番号通知機能により通知される発信電話番号を取得する電話番号取得手段と、前記電話番号取得手段により取得した発信電話番号が前記迷惑電話番号であったときに、前記音声変換手段により変換された応答メッセージを前記公衆回線網へ送信する制御手段とを備えたことを特徴とする。
【発明の効果】
【０００８】
本発明によれば、迷惑電話であった通話の発信電話番号を迷惑電話番号として登録しているので、着信した通話が迷惑電話であった場合に、応答メッセージとして録音した女性の音声を男性の音声に変換して通話相手に送信することができるので、女性の一人暮らしのところへ、何度もかけてくる傾向にあるいたずら電話や電話による勧誘などを、確実に
撃退することが可能である。
【発明を実施するための最良の形態】
【０００９】
本発明の第１の発明は、迷惑電話であった通話の発信電話番号が迷惑電話番号として登録される記憶手段と、応答メッセージとして音声を録音して格納するメッセージ格納手段と、応答メッセージの音声信号を変換して女性の音声を男性の音声に変換する音声変換手段と、公衆回線網の発信電話番号通知機能により通知される発信電話番号を取得する電話番号取得手段と、電話番号取得手段により取得した発信電話番号が迷惑電話番号であったときに、音声変換手段により変換された応答メッセージの音声信号を公衆回線網へ送信する制御手段とを備えたことを特徴としたものである。
【００１０】
公衆回線網の発信者番号通知機能により通知される発信電話番号が、記憶手段に登録された迷惑電話番号であったときに、音声変換手段が録音した応答メッセージの音声信号を、女性の音声を男性の音声に音質を変換し、制御手段が通話相手に送信する。従って、迷惑電話をかけている者には、発信先電話番号に応じて自動的に男性の声質で応答するので、応答した者が男性であると思い込ませることができ、再び迷惑電話をかける相手として敬遠させることができる。よって、女性の一人暮らしのところへ、何度もかけてくる傾向にあるいたずら電話や電話による勧誘などを、確実に撃退することが可能である。
【００１１】
本発明の第２の発明は、記憶手段には、発信先電話番号のリストである電子電話帳が格納され、制御手段は、電話番号取得手段により取得した発信電話番号が迷惑電話番号でなく、かつ電子電話帳に含まれないときに、音声変換手段により変換された応答メッセージの音声信号を公衆回線網へ送信する機能を備えたことを特徴としたものである。
【００１２】
発信電話番号が、記憶手段に格納された電子電話帳になく、迷惑電話番号でないときに、制御手段が、音声変換手段により変換された応答メッセージの音声信号を公衆回線網へ送信するので、迷惑電話番号として登録されていないが、知らない人からかかってきた場合に、女性の声を男性の声に変換した応答メッセージとすることができる。従って、予防的な応対ができる。
【００１３】
本発明の第３の発明は、記憶手段に格納された電子電話帳に、迷惑電話番号が含まれて格納されているとともに、迷惑電話番号には、発信先電話番号と識別する識別情報が付されていることを特徴としたものである。
【００１４】
電子電話帳に、迷惑電話番号が含まれており、迷惑電話番号には、発信先電話番号と識別する識別情報が付されているので、迷惑電話番号と発信先電話番号とを一元管理することができる。
【００１５】
本発明の第４の発明は、記憶手段には、迷惑電話番号が蓄積されて迷惑電話番号リストとして格納されていることを特徴としたものである。
【００１６】
迷惑電話番号が蓄積されて迷惑電話番号リストとすることで、迷惑電話番号の確認が容易である。
【００１７】
本発明の第５の発明は、制御手段は、通話が電話番号取得手段により発信電話番号が取得できない非通知通話であったときに、音声変換手段により変換された応答メッセージの音声信号を公衆回線網へ送信する機能を備えたことを特徴としたものである。
【００１８】
通話が、発信電話番号が取得できない非通知通話であったときに、音声変換手段により音声が変換された応答メッセージを公衆回線網へ制御手段が送信するので、非通知通話の
全てに対し、女性の声を男性の声に変換した応答メッセージとすることができる。従って、非通知通話で電話をかける不審者に対して、予防的な応対ができる。
【００１９】
本発明の第６の発明は、制御手段は、迷惑電話であった通話の発信電話番号を電話番号取得手段により取得して、記憶手段に当該発信電話番号を迷惑電話番号として登録する機能を備えたことを特徴としたものである。
【００２０】
制御手段が、迷惑電話であった通話の発信電話番号を電話番号取得手段により取得して、記憶手段に発信電話番号を迷惑電話番号として登録できるので、再度迷惑電話がかかってきても、同じ発信電話番号であれば音声変換手段により女性の音声を男性の音声に変換した応答メッセージで対応することができるので、確実にいたずら電話や電話による勧誘などを撃退することが可能である。
【００２１】
（実施の形態）
本発明の実施の形態に係る電話装置の構成を図１および図２に基づいて説明する。図１は、本発明の実施の形態に係る電話装置の構成を説明する図である。図２は、メモリ部に格納される情報を説明する図である。
【００２２】
図１に示すように、電話装置１は、公衆回線網２に接続されている。電話装置１は、公衆回線網２からの通知される発信電話番号を受信して表示することができる発信電話番号受信機能（ナンバー・ディスプレイ）を有したものである。
【００２３】
電話装置１は、公衆回線網２と接続するための回線部３と電話番号取得部４と、表示部５と、操作部６と、マイク７と、スピーカ８と、メモリ部９と、応答メッセージ格納部１０と、音声変換部１１と、音声切替部１２と、制御部１３とを備えている。
【００２４】
電話番号取得部４は、公衆回線網２から回線部３を介して通知される発信電話番号を取得する機能を有している。
【００２５】
表示部５は、ＬＣＤ（Ｌｉｑｕｉｄ  Ｃｒｙｓｔａｌ  Ｄｉｓｐｌａｙ）などの表示手段である。発信するときに入力される発信先電話番号や、上述したナンバー・ディスプレイの発信電話番号が表示される。またメモリ部９に登録されている発信先電話番号のリストである電子電話番号が制御部１３により表示される。
【００２６】
操作部６は、発信先電話番号を入力する数字キーや、オフフック・オンフックするフックキーや、応答メッセージの音声の変換を指示する音声変換キーなどの機能キーを備えている。
【００２７】
マイク７は、受話器や電話装置本体に設けられている。操作者がマイク７に話すと、音声信号が制御部１３へ通知され、回線部３を介して公衆回線網２へ送出される。また、応答メッセージを録音するときに用いられる。
【００２８】
スピーカ８は、受話器や電話装置本体に設けられている。通話相手の音声を再生したり、応答メッセージの内容確認に用いられる。
【００２９】
メモリ部９は、発信先電話番号のリストである電子電話帳が格納される記憶手段である。このメモリ部９は、この電話装置１の電源が切断されてもメモリ部９に格納された内容が消えないように不揮発性メモリとするのが望ましい。ここで、電子電話帳について図２に基づいて詳細に説明する。
【００３０】
図２（Ａ）に示すように、電子電話帳は、発信先の名前、発信先電話番号および迷惑電話識別情報で構成される。この電子電話帳で発信先電話番号に迷惑電話識別情報として値「１」が付されていると、その発信先電話番号は、操作者が発信するための電話番号ではなく、迷惑電話をかけてきたことを示す迷惑電話番号となる。つまり、電子電話帳は、発信先電話番号のリストに迷惑電話番号が含まれている。
【００３１】
また図２（Ｂ）に示すように、迷惑電話番号を電子電話帳とは別に迷惑電話番号リストとすることもできる。この場合は、発信先電話番号と迷惑電話番号の識別は必要ないので、電子電話帳には迷惑電話識別情報は不要となる。
【００３２】
この図２（Ａ）および同図（Ｂ）に示される迷惑電話番号には、発信先の名前が格納されている。これは、公衆回線網２から発信者名が通知されるサービスであるネーム・ディスプレイ（商標）などにより名前が通知された場合に、その名前を登録したことによる。しかし、通常、迷惑電話をかける発信者は発信者名を通知しないので、そのときは発信先の名前には何も格納されないことになる。
【００３３】
図１に戻って、応答メッセージ格納部１０は、かかってきた通話に対する応答の音声が格納されている。この音声は、操作者がマイク７に話し、制御部１３により格納される。応答メッセージ格納部１０は、メモリ部９と別の構成としたがメモリ部９に含まれるように構成されていてもよい。また応答メッセージ格納部１０は、メモリ部９と同様にこの電話装置１の電源が切断されてもメモリ部９に格納された内容が消えないように不揮発性メモリとするのが望ましい。
【００３４】
音声変換部１１は、応答メッセージ格納部１０から音声信号を女性の音声から男性の音声へと変換する機能を有している。この変換は、応答メッセージの音声信号の周波数を低くするようにしてもよいし、応答メッセージの音声信号を所定時間ごとに間引いて再生するようにしてもよい。
【００３５】
音声切替部１２は、応答メッセージ格納部１０から出力される応答メッセージの音声信号をそのまま回線部３へ出力するか、音声変換部１１を介して回線部３へ出力するかを制御部１３からの通知により切り替える機能を有している。また、通常に操作者が話す音声信号は、制御部１３から出力されて、音声切替部１２を介して回線部３へ出力される。
【００３６】
制御部１３は、マイク７から入力された音声信号を音声切替部１２および回線部３を介して公衆回線網２へ送出する。また、制御部１３は、電話番号取得部４により取得した発信電話番号がメモリ部９に格納される迷惑電話番号であったときに、音声切替部１２へ通知して応答メッセージ格納部１０から出力される音声信号を、音声変換部１１を介して回線部３へ出力し、公衆回線網２へ送出する。
【００３７】
以上のように構成される本発明の実施の形態に係る電話装置１の動作を図３から図８に基づいて説明する。図３〜図５は、本発明の実施の形態に係る電話装置１の着信のときの動作を説明するフローチャートである。図６および図７は、迷惑電話番号を登録するときの動作を説明するフローチャートである。図８は、図７における迷惑電話番号を登録するときの表示部の表示例を示す図である。
【００３８】
まず、迷惑電話がかかってきたときの電話装置１の動作を図３〜図５に基づいて説明する。ここでは、迷惑電話番号は、図２（Ｂ）に示される迷惑電話番号リストに蓄積されているものとする。また応答メッセージ格納部１０には、予めマイク７から操作者である女性が、迷惑電話に対する応答メッセージを録音しているものとする。
【００３９】
図３に示すように、まず電話装置１に迷惑電話が着信する。この時点では操作者はこの着信が迷惑電話であるか否かは判らない。
【００４０】
公衆回線網２からの着信により電話番号取得部４が発信電話番号を取得して制御部１３へ通知する（Ｓ１００）。
【００４１】
制御部１３は、電話番号取得部４が取得した発信電話番号が、メモリ部９に格納されている迷惑電話番号リストにあるか否かを検索する（Ｓ１１０）。
【００４２】
Ｓ１１０にて、発信電話番号が迷惑電話番号リストにある場合には、制御部１３は、応答メッセージ格納部１０から出力される応答メッセージの音声信号を、音声変換部１１を介して回線部３へ出力するように、音声切替部１２を切り替える（Ｓ１２０）。
【００４３】
そして、制御部１３は応答メッセージ格納部１０から音声メッセージを出力させることで、この音声信号は、音声変換部１１を介して回線部３へ出力されるので、女性の音声による応答メッセージが男性の音声に変換されて回線部３から公衆回線網２へ送出される（Ｓ１３０）。
【００４４】
Ｓ１１０にて、発信電話番号が迷惑電話番号リストにない場合には、制御部１３は、応答メッセージ格納部１０から出力される応答メッセージの音声信号を、音声変換部１１を介さずにそのまま回線部３へ出力するように音声切替部１２を切り替える。または応答メッセージを音声変換部１１を介さずに回線部３へ出力するのが通常の使用状態であるので、音声切替部１２がそのような状態である場合には制御部１３は切替の通知を音声切替部１２にせずにＳ１３０へ移行する。
【００４５】
もし、迷惑電話番号が、図２（Ａ）に示される電子電話帳に登録されているのであれば、Ｓ１１０にて制御部１３が、電話番号取得部４で取得した発信電話番号が電子電話帳の発信者の電話番号に登録されており、かつ迷惑電話識別情報として「１」が付されているものを検索することで、同様に迷惑電話番号の検索を行うことができる。
【００４６】
このように、迷惑電話をかけている者には、発信先電話番号に応じて自動的に男性の声質で応答するので、応答した者が男性であると思い込ませることができ、再び迷惑電話をかける相手として敬遠させることができる。
【００４７】
次に、かかってきた迷惑電話の発信電話番号が電子電話帳に登録されていない場合の動作を図４に基づいて説明する。ここでは、図３を説明したときと同様に、迷惑電話番号は、図２（Ｂ）に示される迷惑電話番号リストに蓄積されているものとする。また応答メッセージ格納部１０には、予めマイク７から操作者である女性が、迷惑電話に対する応答メッセージを録音しているものとする。
【００４８】
図４に示すように、まず電話装置１に迷惑電話が着信する。この時点では操作者はこの着信が迷惑電話であるか否かは判らない。
【００４９】
まず、公衆回線網２からの着信により電話番号取得部４が発信電話番号を取得して制御部１３へ通知する（Ｓ２００）。
【００５０】
制御部１３は、電話番号取得部４が取得した発信電話番号が、メモリ部９に格納されている迷惑電話番号リストにあるか否かを検索する（Ｓ２１０）。
【００５１】
Ｓ２１０にて、発信電話番号が迷惑電話番号リストにある場合には、制御部１３は、応
答メッセージ格納部１０から出力される応答メッセージの音声信号を、音声変換部１１を介して回線部３へ出力するように、音声切替部１２を切り替える（Ｓ２２０）。
【００５２】
そして、制御部１３は応答メッセージ格納部１０から音声メッセージを出力させることで、この音声信号は、音声変換部１１を介して回線部３へ出力されるので、女性の音声による応答メッセージが男性の音声に変換されて回線部３から公衆回線網２へ送出される（Ｓ２３０）。
【００５３】
Ｓ２１０にて、発信電話番号が迷惑電話番号リストにない場合には、制御部１３は、次に電子電話帳の発信者の電話番号に登録されているか否かを検索する（Ｓ２４０）。
【００５４】
Ｓ２４０にて、電子電話帳の発信者の電話番号に登録されていない場合は、この着信は不審者からのものであるとしてＳ２２０へ移行する。
【００５５】
Ｓ２４０にて、電子電話帳の発信者の電話番号に登録されている場合には、この着信は知り合いからのものであるとして、応答メッセージ格納部１０から出力される応答メッセージの音声信号を、音声変換部１１を介さずにそのまま回線部３へ出力するように音声切替部１２を切り替える。または応答メッセージを音声変換部１１を介さずに回線部３へ出力するのが通常の使用状態であるので、音声切替部１２がそのような状態である場合には制御部１３は切替の通知を音声切替部１２にせずにＳ２３０へ移行する。
【００５６】
このように、迷惑電話番号として登録されていないが、知らない人からかかってきた場合に、女性の声を男性の声に変換した応答メッセージとすることができる。従って、予防的な応対ができる。
【００５７】
次に、かかってきた迷惑電話の発信電話番号が電話番号取得部４で取得できない非通知通話であった場合の動作を図５に基づいて説明する。ここで非通知通話とは、公衆回線網２からは発信電話番号が通知されない通話であり、発信者が通知を許可しないように局に設定している場合や、発信先の電話番号の前に「１８４」を入力して発信した場合や、公衆電話から発信した場合や、海外やＩＰ電話装置から発信した場合などがある。
【００５８】
図５に示すように、公衆回線網２からの着信により電話番号取得部４が発信電話番号を取得して制御部１３へ通知する（Ｓ３００）。
【００５９】
制御部１３は、電話番号取得部４から発信電話番号が取得できたか否かを判定し、非通知通話であった場合、Ｓ３２０へ移行する（Ｓ３１０）。
【００６０】
非通知通話である場合には、制御部１３は、応答メッセージ格納部１０から出力される応答メッセージの音声信号を、音声変換部１１を介して回線部３へ出力するように、音声切替部１２を切り替える（Ｓ３２０）。
【００６１】
そして、制御部１３は応答メッセージ格納部１０から音声メッセージを出力させることで、この音声信号は、音声変換部１１を介して回線部３へ出力されるので、女性の音声による応答メッセージが男性の音声に変換されて回線部３から公衆回線網２へ送出される（Ｓ３３０）。
【００６２】
Ｓ３１０にて発信電話番号が取得できた場合には、制御部１３は、応答メッセージ格納部１０から出力される応答メッセージの音声信号を、音声変換部１１を介さずにそのまま回線部３へ出力するように音声切替部１２を切り替える。または応答メッセージを音声変換部１１を介さずに回線部３へ出力するのが通常の使用状態であるので、音声切替部１２
がそのような状態である場合には制御部１３は切替の通知を音声切替部１２にせずにＳ３３０へ移行する。
【００６３】
また、図示してないが、Ｓ３１０にて発信電話番号が取得できた場合には、図３のＳ１１０の迷惑電話番号リストの検索から順次、図３のフローチャートを実行するようにしてもよい。
【００６４】
このように、非通知通話を全て女性の声を男性の声に変換した応答メッセージとすることができるので、非通知通話で電話をかける不審者に対して、予防的な応対ができる。
【００６５】
次に、迷惑電話番号を登録するときの動作を図６に基づいて説明する。ここでは、迷惑電話番号は、図２（Ａ）に示される迷惑電話番号が電子電話帳に登録されているものとする。
【００６６】
図６に示すように、まず電話装置１に着信したことにより操作者は会話する。すると通話の内容がいたずらや勧誘などであった場合、操作部６の機能キーである音声変換キーを押下する（Ｓ４００）。
【００６７】
制御部１３は、電話番号取得部４にて取得した発信電話番号が電子電話帳に登録されているか否かを検索する（Ｓ４１０）。
【００６８】
Ｓ４１０にて発信電話番号が電子電話帳に登録されている場合には、迷惑電話識別情報に「１」が付されているか否かを判定する（Ｓ４２０）。
【００６９】
Ｓ４２０にて迷惑電話識別情報に「１」が付されていない場合には、迷惑電話識別情報に「１」を付与する（Ｓ４３０）。
【００７０】
そして、制御部１３は、応答メッセージ格納部１０から出力される応答メッセージの音声信号を、音声変換部１１を介して回線部３へ出力するように、音声切替部１２を切り替える。制御部１３は応答メッセージ格納部１０から音声メッセージを出力させることで、この音声信号は、音声変換部１１を介して回線部３へ出力されるので、女性の音声による応答メッセージが男性の音声に変換されて回線部３から公衆回線網２へ送出される。
【００７１】
Ｓ４１０にて発信電話番号が電子電話帳に登録されていない場合や、Ｓ４２０にて迷惑電話識別情報に、既に「１」が付されている場合は、Ｓ４４０へ移行する。
【００７２】
このように、通話が迷惑電話であった場合に、音声変換キーを押下することで、発信電話番号を迷惑電話番号として登録することができる。
【００７３】
次に、迷惑電話番号を手操作にて登録する動作を図７および図８に基づいて説明する。ここでは、迷惑電話番号は、図２（Ａ）に示される迷惑電話番号が電子電話帳に登録されているものとする。
【００７４】
図７に示すように、まず操作部６の機能キーである電話帳登録キーを押下する（Ｓ５００）。
【００７５】
制御部１３へ電話帳登録キーが押下されたことが通知される。制御部１３は、表示部５に図８（Ａ）で示される名前入力を促す表示を行う（Ｓ５００）。操作者は、操作部６を操作して名前を入力を行う（Ｓ５１０）。名前入力が終了すると電話番号の入力を促す画面を図８（Ｃ）に示されるように表示し、そして操作者が図８（Ｄ）で示されるように電
話番号を入力する（Ｓ５２０）。
【００７６】
制御部１３は、名前、電話番号の入力が終了すると、図８（Ｅ）に示されるように、この電話番号は迷惑電話番号か、発信先電話番号かを識別するキー入力待ちとなる。図８（Ｅ）に示される例では、操作部６の数字キーの「＊」を入力すると発信先電話番号であり、数字キーの「＃」を入力すると迷惑電話番号である（Ｓ５３０）。
【００７７】
そして操作者が、Ｓ５１０にて入力した電話番号が、迷惑電話番号を示す「＃」を入力した場合、制御部１３は、メモリ部９に格納された電子電話帳の迷惑電話識別情報に「１」を付加する（Ｓ５４０）。
【００７８】
そして操作者が、Ｓ５１０にて入力した電話番号が、発信先電話番号を示す「＊」を入力した場合、制御部１３は、メモリ部９に格納された電子電話帳の迷惑電話識別情報に「０」を付加する（Ｓ５５０）。
【００７９】
このようにして、迷惑電話番号を電子電話帳に手操作で登録することができる。
【産業上の利用可能性】
【００８０】
本発明は、確実に、いたずら電話や電話による勧誘などを撃退することが可能なので、発信電話番号受信機能（ナンバー・ディスプレイ、商標）と、応答メッセージを送信する機能とを有する電話装置に好適である。
【図面の簡単な説明】
【００８１】
【図１】本発明の実施の形態に係る電話装置の構成を説明する図
【図２】メモリ部に格納される情報を説明する図
【図３】本発明の実施の形態に係る電話装置の着信のときの動作を説明するフローチャート
【図４】本発明の実施の形態に係る電話装置の着信のときの動作を説明するフローチャート
【図５】本発明の実施の形態に係る電話装置の着信のときの動作を説明するフローチャート
【図６】迷惑電話番号を登録するときの動作を説明するフローチャート
【図７】迷惑電話番号を登録するときの動作を説明するフローチャート
【図８】図７における迷惑電話番号を登録するときの表示部の表示例を示す図
【符号の説明】
【００８２】
１    電話装置
２    公衆回線網
３    回線部
４    電話番号取得部
５    表示部
６    操作部
７    マイク
８    スピーカ
９    メモリ部
１０    応答メッセージ格納部
１１    音声変換部
１２    音声切替部
１３    制御部
【図１】
2006094272.tif 000003
【図２】
2006094272.tif 000004
【図３】
2006094272.tif 000005
【図４】
2006094272.tif 000006
【図５】
2006094272.tif 000007
【図６】
2006094272.tif 000008
【図７】
2006094272.tif 000009
【図８】
2006094272.tif 000010